(57)【要約】      （修正有）【課題】凝縮判定を簡単に行うことができ、且つ気化蒸発式装置を用いることなく室内をドライ方式で確実に除染し得、専門のオペレータも不要とし得る除染方法及び装置を提供する。【解決手段】室内１に、水を含む除菌剤をミスト噴霧する噴霧ユニット２と、ミストを室内に行き渡らせる撹拌ファン３とを配設し、室内温度θに基づきパラメータａθとパラメータｂθとを求め、除菌剤と水の二成分系の空気中における飽和蒸気圧を示す線図を一次近似式φＳ＝ａθＣ＋ｂθより求め、一次近似式に基づき除菌剤濃度Ｃから結露が生じる相対湿度φＳを求め、それに基づいて制御相対湿度φＳを求めて、湿度計８で計測された相対湿度φが制御相対湿度φＳより低い場合には除染を行うよう遮断弁６へ開指令を出力し、相対湿度φが制御相対湿度φＳ以上である場合には除染を停止するよう遮断弁６へ閉指令を出力し且つ除害装置１０へ起動指令を出力する動力制御盤１１を設ける。【選択図】図１
2015211772.tif 000002
【特許請求の範囲】
【請求項１】
水を含む除菌剤をミスト噴霧して室内の除染を行う除染方法において、
室内の相対湿度φと、温度θと、除菌剤濃度Ｃとを計測する計測工程と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入可能としているパラメータ演算工程と、
該パラメータ演算工程における前記関係式に、前記計測工程で計測された温度を代入してパラメータａθとパラメータｂθとを求め、除菌剤と水の二成分系の空気中での温度θにおける飽和蒸気圧を示す線図を一次近似式
φＳ＝ａθＣ＋ｂθ
として求める飽和蒸気圧線近似演算工程と、
該飽和蒸気圧線近似演算工程で求められた一次近似式に基づき、計測される前記除菌剤濃度Ｃから除菌剤の結露を制御するための制御相対湿度φＳを求め、前記相対湿度φが制御相対湿度φＳより低い場合には除染を行い、前記相対湿度φが制御相対湿度φＳ以上である場合には除染を停止する結露判定工程と
を有することを特徴とする除染方法。
【請求項２】
水を含む除菌剤をミスト噴霧して室内の除染を行う除染方法において、
室内の相対湿度φと、温度θと、除菌剤濃度Ｃとを計測する計測工程と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入可能にしているパラメータ演算工程と、
計測された前記除菌剤濃度Ｃに基づいて、前記所定の除菌剤濃度Ｃｓに代入する値を選定した後、前記一次近似式の傾きを示すパラメータａθと温度θとの関係式、及び、前記一次近似式の切片を示すパラメータｂθと温度θとの関係式を演算設定する接線設定演算工程と、
前記接線設定演算工程により演算設定された、前記一次近似式の傾きを示すパラメータａθと温度θとの関係式、及び前記一次近似式の切片を示すパラメータｂθと温度θとの関係式に、前記計測工程で計測された温度θを代入してパラメータａθとパラメータｂθとを求め、除菌剤と水の二成分系の空気中での温度θにおける飽和蒸気圧を示す線図を一次近似式
φＳ＝ａθＣ＋ｂθ
として求める飽和蒸気圧線近似演算工程と、
該飽和蒸気圧線近似演算工程で求められた一次近似式に基づき、計測される前記除菌剤濃度Ｃから除菌剤の結露を制御するための制御相対湿度φＳを求め、計測される前記相対湿度φが前記制御相対湿度φＳより低い場合には除染を行い、前記相対湿度φが前記制御相対湿度φＳ以上である場合には除染を停止する結露判定工程と
を有することを特徴とする除染方法。
【請求項３】
水を含む除菌剤をミスト噴霧して室内の除染を行う除染方法において、
室内の相対湿度φと、温度θと、除菌剤濃度Ｃとを計測する計測工程と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入可能にしているパラメータ演算工程と、
該パラメータ演算工程における前記関係式に、想定される温度θを５〜１０個代入してパラメータａθとパラメータｂθとを求めて、除菌剤と水の二成分系の空気中での温度θにおける飽和蒸気圧を示す線図を一次近似式
φＳ＝ａθＣ＋ｂθ
として予め求めておき、前記計測工程で計測された温度θに基づき一次近似式を選択して求める飽和蒸気圧線近似演算工程と、
該飽和蒸気圧線近似演算工程で求められた一次近似式に基づき、計測される前記除菌剤濃度Ｃから除菌剤の結露を制御するための制御相対湿度φＳを求め、計測される前記相対湿度φが前記制御相対湿度φＳより低い場合には除染を行い、前記相対湿度φが前記制御相対湿度φＳ以上である場合には除染を停止する結露判定工程と
を有することを特徴とする除染方法。
【請求項４】
前記請求項１乃至３の何れか一項に記載の除染方法において、
前記所定の除菌剤濃度Ｃｓは、１５０〜４００ｐｐｍであることを特徴とする除染方法。
【請求項５】
前記請求項１乃至４の何れか一項に記載の除染方法において、
前記温度θは、１５〜３０℃であることを特徴とする除染方法。
【請求項６】
前記請求項１乃至５の何れか一項に記載の除染方法において、
前記結露判定工程で除染が行われる場合に、前記除菌剤濃度Ｃが除菌剤濃度下限設定値ＣＬ０より低い時には前記ミスト噴霧を行い、前記除菌剤濃度Ｃが除菌剤濃度上限設定値ＣＨ１以上となる時には前記ミスト噴霧を停止するミスト噴霧発停工程を有することを特徴とする除染方法。
【請求項７】
前記請求項１乃至６の何れか一項に記載の除染方法において、
前記除菌剤は過酸化水素であることを特徴とする除染方法。
【請求項８】
除染対象である室内の壁面に沿って循環する撹拌気流が生じるよう、吹出口を前記循環する撹拌気流と同じ方向に向けて設置される複数の撹拌ファンと、
前記循環する撹拌気流の内側に、該循環する撹拌気流と同じ方向へ水を含む除菌剤をミスト噴霧する噴霧ユニットとを備え、
前記循環する撹拌気流により前記噴霧ユニットから噴霧されるミストを室内に行き渡らせることで、湿度の低い気流を前記室内の壁面に沿わせることにより、前記室内の壁面への除菌剤の結露を制御することを特徴とする除染装置。
【請求項９】
前記室内の温度θを計測する温度計と、
前記室内の相対湿度φを計測する湿度計と、
前記室内の除菌剤濃度Ｃを計測する濃度計と、
前記噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記温度計で計測された温度θを代入してパラメータａθとパラメータｂθとを求め、除菌剤と水の二成分系の空気中における飽和蒸気圧を示す線図を一次近似式
φＳ＝ａθＣ＋ｂθ
として求める飽和蒸気圧線近似演算部と、
該飽和蒸気圧線近似演算部で求められた一次近似式に基づき前記濃度計で計測された除菌剤濃度Ｃから除菌剤の結露を制御するための制御相対湿度φＳを求める飽和相対湿度演算部と、
該飽和相対湿度演算部で求められた制御相対湿度φＳを設定値として、前記湿度計で計測された相対湿度φが制御相対湿度φＳより低い場合には除染を行うよう前記遮断弁へ開指令を出力し、前記相対湿度φが制御相対湿度φＳ以上である場合には除染を停止するよう前記遮断弁へ閉指令を出力する結露判定演算部と
を備えることを特徴とする除染装置。
【請求項１０】
室内の温度θを計測する温度計と、
室内の相対湿度φを計測する湿度計と、
室内の除菌剤濃度Ｃを計測する濃度計と、
噴霧ユニットへ噴霧用の圧縮空気を供給する空気配管途中に設けられた遮断弁と、
相対湿度φと除菌剤濃度Ｃとの関係を示す空気中の除菌剤し水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式を記憶していて、前記濃度計で計測された前記除菌剤濃度Ｃに基づいて、前記所定の除菌剤濃度Ｃｓに代入する値を選定し、前記一次近似式の傾きを示すパラメータａθと温度θとの関係式、及び、前記一次近似式の切片を示すパラメータｂθと温度θとの関係式を演算し接線を設定する演算を行った後、
前記温度計で計測された温度θを代入してパラメータａθとパラメータｂθとを求め、除菌剤と水の二成分系の空気中での温度θにおける飽和蒸気圧を示す線図を一次近似式
φＳ＝ａθＣ＋ｂθ
として求める飽和蒸気圧線近似演算部と、
該飽和蒸気圧線近似演算部で求められた一次近似式に基づき、前記濃度計で計測される前記除菌剤濃度Ｃから除菌剤の結露を制御するための制御相対湿度φＳを求める飽和相対湿度演算部と、
該飽和相対湿度演算部で求められた制御相対湿度φＳを設定値として、前記湿度計で計測された相対湿度φが制御相対湿度φＳより低い場合には除染を行うよう前記遮断弁へ開指令を出力し、前記相対湿度φが制御相対湿度φＳ以上である場合には除染を停止するよう前記遮断弁へ閉指令を出力する結露判定演算部と、
を備えることを特徴とする除染装置。
【請求項１１】
室内の温度θを計測する温度計と、
室内の相対湿度φを計測する湿度計と、
室内の除菌剤濃度Ｃを計測する濃度計と、
噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、想定される温度θを５〜１０個代入してパラメータａθとパラメータｂθとを求めて、除菌剤と水の二成分系の空気中での温度θにおける飽和蒸気圧を示す線図を一次近似式
φＳ＝ａθＣ＋ｂθ
として予め複数求めておき、前記温度計で計測された温度θに基づき一次近似式を選択して求める飽和蒸気圧線近似演算部と、
該飽和蒸気圧線近似演算部で求められた一次近似式に基づき、前記濃度計で計測される前記除菌剤濃度Ｃから除菌剤の結露を制御するための制御相対湿度φＳを求める飽和相対湿度演算部と、
前記飽和相対湿度演算部から出力された制御相対湿度φＳを設定値として、前記湿度計で計測された相対湿度φが制御相対湿度φＳより低い場合には除染を行うよう前記遮断弁へ開指令を出力し、前記相対湿度φが制御相対湿度φＳ以上である場合には除染を停止するよう前記遮断弁へ閉指令を出力する結露判定演算部と、
を備えることを特徴とする除染装置。
【請求項１２】
前記請求項９乃至１１の何れか一項に記載の除染装置において、
記所定の除菌剤濃度Ｃｓは、１５０〜４００ｐｐｍであることを特徴とする除染装置。
【請求項１３】
前記請求項９乃至１２の何れか一項に記載の除染装置において、
前記温度θは、１５〜３０℃であることを特徴とする除染装置。
【請求項１４】
前記請求項９乃至１３の何れか一項に記載の除染装置において、
前記室内にミスト噴霧された除菌剤を無害化する除害装置を更に備え、
前記結露判定演算部から前記除害装置へ起動指令を出力することを特徴とする除染装置。
【請求項１５】
前記結露判定演算部は、前記湿度計で計測された相対湿度φが制御相対湿度φＳより低く除染が行われる場合に、前記除菌剤濃度Ｃが除菌剤濃度下限設定値ＣＬ０より低い時には前記遮断弁へ開指令を出力してミスト噴霧を行い、前記除菌剤濃度Ｃが除菌剤濃度上限設定値ＣＨ１以上となる時には前記遮断弁へ閉指令を出力してミスト噴霧を停止することを特徴とする請求項９乃至１４の何れか一項に記載の除染装置。
【請求項１６】
前記除菌剤は過酸化水素である請求項９乃至１５の何れか一項に記載の除染装置。
【発明の詳細な説明】
【技術分野】
【０００１】
本発明は、医薬品製造施設や動物実験施設のバイオクリーンルーム等の、細菌等の微生物、生物の免疫に働きかける物質や、生物の細胞等を扱う室内について、使用後に室内全般を殺菌するために用いられる除染方法及び装置に関するものである。
【背景技術】
【０００２】
従来、バイオクリーンルーム等の室内の殺菌としては、ホルムアルデヒド燻蒸による除染が主流であったが、ホルムアルデヒドは毒性が強く発ガン性等の人体への影響が懸念されると共に、特定化学物質障害予防規則の改正により規制が強化されたことから、その使用が敬遠されてきている。
【０００３】
このため、ホルムアルデヒド燻蒸の代替方法として、過酸化水素、オゾン、過酢酸、二酸化塩素等の除菌剤による除染方法が検討されている。ところが、ホルムアルデヒドは常温でも気化しやすく水溶液から熱をかけて気化させると凝縮しにくいのだが、代替の除菌剤の中にはホルムアルデヒドほど沸点が高くなく気化しやすくない物質もある。
【０００４】
除染方法の一例として、過酸化水素を用い、その飽和濃度を超える条件で除染を行う、いわゆるウェット方式の除染方法がある。過酸化水素は分解後に酸素と水になる毒性のない安全な物質であり、市販されている３０〜３５ｗｔ％水溶液を加熱気化して除染を行うが、容積の限られる対象室内に密封された空気の飽和濃度を超えるまで加熱気化し続けることで、その温度での気体としての過酸化水素最大濃度まで室内を充満させることができ、効率的な除染が可能だが、酸化還元反応の強い過酸化水素の結露により室内の内装や機器に腐食を生じさせてしまう可能性があった。
【０００５】
又、前記腐食を避けるため、飽和蒸気圧の計算式を基本とした演算により、過酸化水素蒸気の凝縮の有無を判定しながら過酸化水素蒸気の凝縮を避けた除染を行う、いわゆるドライ方式の除染方法がある。
【０００６】
尚、前記ドライ方式の除染方法に関連する一般的技術水準を示すものとしては、例えば、特許文献１がある。
【先行技術文献】
【特許文献】
【０００７】
【特許文献１】特許第４９７７２３３号公報
【発明の概要】
【発明が解決しようとする課題】
【０００８】
しかしながら、特許文献１に開示されているドライ方式の除染方法では、除染中に過酸化水素が飽和条件を超えていないことを、除染対象室内温湿度状態での過酸化水素蒸気圧及び水蒸気圧や、その室内温度での飽和過酸化水素蒸気圧や飽和水蒸気圧、液相モル分率及び活量係数をコンピュータによって全てリアルタイムで演算しなければならず、凝縮判定が非常に複雑化するという欠点を有していた。又、これ以外のドライ方式の除染方法では、過酸化水素蒸気の室内凝縮を凝縮センサにより監視するもの等があり、凝縮センサにおける過酸化水素蒸気の凝縮消失を見る技術もあるが、凝縮センサ位置で凝縮させるならば室内のどこかで凝縮している可能性が高く、ドライとならない。
【０００９】
又、従来の除染方法では、ウェット方式及びドライ方式のいずれにおいても、過酸化水素蒸気の発生に気化蒸発式装置が用いられているが、該気化蒸発式装置は、非常に高価で且つ取り扱いが難しく、専門のオペレータが必要となっていた。
【００１０】
本発明は、上記従来の問題点に鑑みてなしたもので、凝縮判定を簡単に行うことができ、且つ気化蒸発式装置を用いることなく室内をドライ方式で確実に除染し得、専門のオペレータも不要とし得る除染方法及び装置を提供しようとするものである。
【課題を解決するための手段】
【００１１】
本発明は、水を含む除菌剤をミスト噴霧して室内の除染を行う除染方法において、
室内の相対湿度φと、温度θと、除菌剤濃度Ｃとを計測する計測工程と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入可能としているパラメータ演算工程と、
該パラメータ演算工程における前記関係式に、前記計測工程で計測された温度を代入してパラメータａθとパラメータｂθとを求め、除菌剤と水の二成分系の空気中での温度θにおける飽和蒸気圧を示す線図を一次近似式
φＳ＝ａθＣ＋ｂθ
として求める飽和蒸気圧線近似演算工程と、
該飽和蒸気圧線近似演算工程で求められた一次近似式に基づき、計測される前記除菌剤濃度Ｃから除菌剤の結露を制御するための制御相対湿度φＳを求め、前記相対湿度φが制御相対湿度φＳより低い場合には除染を行い、前記相対湿度φが制御相対湿度φＳ以上である場合には除染を停止する結露判定工程と
を有することを特徴とする除染方法にかかるものである。
【００１２】
本発明は、水を含む除菌剤をミスト噴霧して室内の除染を行う除染方法において、
室内の相対湿度φと、温度θと、除菌剤濃度Ｃとを計測する計測工程と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入可能にしているパラメータ演算工程と、
計測された前記除菌剤濃度Ｃに基づいて、前記所定の除菌剤濃度Ｃｓに代入する値を選定した後、前記一次近似式の傾きを示すパラメータａθと温度θとの関係式、及び、前記一次近似式の切片を示すパラメータｂθと温度θとの関係式を演算設定する接線設定演算工程と、
前記接線設定演算工程により演算設定された、前記一次近似式の傾きを示すパラメータａθと温度θとの関係式、及び前記一次近似式の切片を示すパラメータｂθと温度θとの関係式に、前記計測工程で計測された温度θを代入してパラメータａθとパラメータｂθとを求め、除菌剤と水の二成分系の空気中での温度θにおける飽和蒸気圧を示す線図を一次近似式
φＳ＝ａθＣ＋ｂθ
として求める飽和蒸気圧線近似演算工程と、
該飽和蒸気圧線近似演算工程で求められた一次近似式に基づき、計測される前記除菌剤濃度Ｃから除菌剤の結露を制御するための制御相対湿度φＳを求め、計測される前記相対湿度φが前記制御相対湿度φＳより低い場合には除染を行い、前記相対湿度φが前記制御相対湿度φＳ以上である場合には除染を停止する結露判定工程と
を有することを特徴とする除染方法にかかるものである。
【００１３】
本発明は、水を含む除菌剤をミスト噴霧して室内の除染を行う除染方法において、
室内の相対湿度φと、温度θと、除菌剤濃度Ｃとを計測する計測工程と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入可能にしているパラメータ演算工程と、
該パラメータ演算工程における前記関係式に、想定される温度θを５〜１０個代入してパラメータａθとパラメータｂθとを求めて、除菌剤と水の二成分系の空気中での温度θにおける飽和蒸気圧を示す線図を一次近似式
φＳ＝ａθＣ＋ｂθ
として予め求めておき、前記計測工程で計測された温度θに基づき一次近似式を選択して求める飽和蒸気圧線近似演算工程と、
該飽和蒸気圧線近似演算工程で求められた一次近似式に基づき、計測される前記除菌剤濃度Ｃから除菌剤の結露を制御するための制御相対湿度φＳを求め、計測される前記相対湿度φが前記制御相対湿度φＳより低い場合には除染を行い、前記相対湿度φが前記制御相対湿度φＳ以上である場合には除染を停止する結露判定工程と
を有することを特徴とする除染方法にかかるものである。
【００１４】
前記除染方法において、
前記所定の除菌剤濃度Ｃｓは、１５０〜４００ｐｐｍであることが好ましい。
【００１５】
前記除染方法において、
前記温度θは、１５〜３０℃であることが好ましい。
【００１６】
前記除染方法においては、前記結露判定工程で除染が行われる場合に、前記除菌剤濃度Ｃが除菌剤濃度下限設定値ＣＬ０より低い時には前記ミスト噴霧を行い、前記除菌剤濃度Ｃが除菌剤濃度上限設定値ＣＨ１以上となる時には前記ミスト噴霧を停止するミスト噴霧発停工程を有することが好ましい。
【００１７】
前記除染方法において、前記除菌剤は過酸化水素であることが好ましい。
【００１８】
又、本発明は、除染対象である室内の壁面に沿って循環する撹拌気流が生じるよう、吹出口を前記循環する撹拌気流と同じ方向に向けて設置される複数の撹拌ファンと、
前記循環する撹拌気流の内側に、該循環する撹拌気流と同じ方向へ水を含む除菌剤をミスト噴霧する噴霧ユニットとを備え、
前記循環する撹拌気流により前記噴霧ユニットから噴霧されるミストを室内に行き渡らせることで、湿度の低い気流を前記室内の壁面に沿わせることにより、前記室内の壁面への除菌剤の結露を制御することを特徴とする除染装置にかかるものである。
【００１９】
本発明は、前記室内の温度θを計測する温度計と、
前記室内の相対湿度φを計測する湿度計と、
前記室内の除菌剤濃度Ｃを計測する濃度計と、
前記噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記温度計で計測された温度θを代入してパラメータａθとパラメータｂθとを求め、除菌剤と水の二成分系の空気中における飽和蒸気圧を示す線図を一次近似式
φＳ＝ａθＣ＋ｂθ
として求める飽和蒸気圧線近似演算部と、
該飽和蒸気圧線近似演算部で求められた一次近似式に基づき前記濃度計で計測された除菌剤濃度Ｃから除菌剤の結露を制御するための制御相対湿度φＳを求める飽和相対湿度演算部と、
該飽和相対湿度演算部で求められた制御相対湿度φＳを設定値として、前記湿度計で計測された相対湿度φが制御相対湿度φＳより低い場合には除染を行うよう前記遮断弁へ開指令を出力し、前記相対湿度φが制御相対湿度φＳ以上である場合には除染を停止するよう前記遮断弁へ閉指令を出力する結露判定演算部と
を備えることを特徴とする除染装置にかかるものである。
【００２０】
本発明は、室内の温度θを計測する温度計と、
室内の相対湿度φを計測する湿度計と、
室内の除菌剤濃度Ｃを計測する濃度計と、
噴霧ユニットへ噴霧用の圧縮空気を供給する空気配管途中に設けられた遮断弁と、
相対湿度φと除菌剤濃度Ｃとの関係を示す空気中の除菌剤し水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式を記憶していて、前記濃度計で計測された前記除菌剤濃度Ｃに基づいて、前記所定の除菌剤濃度Ｃｓに代入する値を選定し、前記一次近似式の傾きを示すパラメータａθと温度θとの関係式、及び、前記一次近似式の切片を示すパラメータｂθと温度θとの関係式を演算し接線を設定する演算を行った後、
前記温度計で計測された温度θを代入してパラメータａθとパラメータｂθとを求め、除菌剤と水の二成分系の空気中での温度θにおける飽和蒸気圧を示す線図を一次近似式
φＳ＝ａθＣ＋ｂθ
として求める飽和蒸気圧線近似演算部と、
該飽和蒸気圧線近似演算部で求められた一次近似式に基づき、前記濃度計で計測される前記除菌剤濃度Ｃから除菌剤の結露を制御するための制御相対湿度φＳを求める飽和相対湿度演算部と、
該飽和相対湿度演算部で求められた制御相対湿度φＳを設定値として、前記湿度計で計測された相対湿度φが制御相対湿度φＳより低い場合には除染を行うよう前記遮断弁へ開指令を出力し、前記相対湿度φが制御相対湿度φＳ以上である場合には除染を停止するよう前記遮断弁へ閉指令を出力する結露判定演算部と、
を備えることを特徴とする除染装置にかかるものである。
【００２１】
本発明は、室内の温度θを計測する温度計と、
室内の相対湿度φを計測する湿度計と、
室内の除菌剤濃度Ｃを計測する濃度計と、
噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線に対し、所定の除菌剤濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、想定される温度θを５〜１０個代入してパラメータａθとパラメータｂθとを求めて、除菌剤と水の二成分系の空気中での温度θにおける飽和蒸気圧を示す線図を一次近似式
φＳ＝ａθＣ＋ｂθ
として予め複数求めておき、前記温度計で計測された温度θに基づき一次近似式を選択して求める飽和蒸気圧線近似演算部と、
該飽和蒸気圧線近似演算部で求められた一次近似式に基づき、前記濃度計で計測される前記除菌剤濃度Ｃから除菌剤の結露を制御するための制御相対湿度φＳを求める飽和相対湿度演算部と、
前記飽和相対湿度演算部から出力された制御相対湿度φＳを設定値として、前記湿度計で計測された相対湿度φが制御相対湿度φＳより低い場合には除染を行うよう前記遮断弁へ開指令を出力し、前記相対湿度φが制御相対湿度φＳ以上である場合には除染を停止するよう前記遮断弁へ閉指令を出力する結露判定演算部と、
を備えることを特徴とする除染装置にかかるものである。
【００２２】
前記除染装置において、
記所定の除菌剤濃度Ｃｓは、１５０〜４００ｐｐｍであることが好ましい。
【００２３】
前記除染装置において、
前記温度θは、１５〜３０℃であることが好ましい。
【００２４】
前記除染装置において、
前記室内にミスト噴霧された除菌剤を無害化する除害装置を更に備え、
前記結露判定演算部から前記除害装置へ起動指令を出力することが好ましい。
【００２５】
前記除染装置において、前記結露判定演算部は、前記湿度計で計測された相対湿度φが制御相対湿度φＳより低く除染が行われる場合に、前記除菌剤濃度Ｃが除菌剤濃度下限設定値ＣＬ０より低い時には前記遮断弁へ開指令を出力してミスト噴霧を行い、前記除菌剤濃度Ｃが除菌剤濃度上限設定値ＣＨ１以上となる時には前記遮断弁へ閉指令を出力してミスト噴霧を停止することが好ましい。
【００２６】
前記除染装置において、前記除菌剤は過酸化水素であることが好ましい。
【発明の効果】
【００２７】
本発明の除染方法及び装置によれば、凝縮判定を簡単に行うことができ、且つ気化蒸発式装置を用いることなく室内をドライ方式で確実に除染し得、専門のオペレータも不要とし得るという優れた効果を奏し得る。
【図面の簡単な説明】
【００２８】
【図１】本発明の除染方法及び装置の実施例を示す全体概要斜視図である。
【図２】本発明の除染方法及び装置の実施例を示す制御ブロック図である。
【図３】本発明の除染方法及び装置の実施例を示すフローチャートである。
【図４】除菌剤（過酸化水素）と水の二成分系の空気中における飽和蒸気圧を示す線図である。
【図５】温度θと飽和蒸気圧線の一次近似式におけるパラメータａθとの関係を示す線図である。
【図６】温度θと飽和蒸気圧線の一次近似式におけるパラメータｂθとの関係を示す線図である。
【図７】温度θと飽和蒸気圧線の一次近似式におけるパラメータａθとの関係を、飽和蒸気圧線の一次近似式を定義する際の接点である所定の過酸化水素濃度Ｃｓを変更した場合の各関係式を例示する線図である。
【図８】温度θと飽和蒸気圧線の一次近似式におけるパラメータｂθとの関係を、飽和蒸気圧線の一次近似式を定義する際の接点である所定の過酸化水素濃度Ｃｓを変更した場合の各関係式を例示する線図である。
【発明を実施するための形態】
【００２９】
以下、本発明の実施の形態を添付図面を参照して説明する。
【００３０】
図１〜図６は本発明の除染方法及び装置の第一の実施例であって、医薬品製造施設や動物実験施設のバイオクリーンルーム等の、細菌等の微生物、生物の免疫に働きかける物質や、生物の細胞等を扱う室内１に、除染対象である室内１の壁面に沿って循環する撹拌気流が生じるよう、吹出口３ａを循環する撹拌気流と同じ方向に向けて設置される複数のタワー型の撹拌ファン３と、前記循環する撹拌気流の内側に、前記循環する撹拌気流と同じ方向へ水を含む除菌剤をミスト噴霧する噴霧ユニット２とを配設してある。前記タワー型の撹拌ファン３は、循環する撹拌気流が急激に向きを変える前記室内１の隅部（図１の例では四隅部）に配設することが、前記室内１の壁面に撹拌気流を貼り付けるように流通させる上で、撹拌ファン３の吹出口３ａの配設による撹拌気流の方向付けの面から有利となる。前記循環する撹拌気流により前記噴霧ユニット２から噴霧されるミストを室内１に行き渡らせることで、湿度の低い気流を前記室内１の壁面に沿わせることにより、前記室内１の壁面への除菌剤の結露を制御するものである。これにより、前記噴霧ユニット２から噴霧されるミストを室内１に均等に行き渡らせながら、室内１の壁面に凝結しかねない飽和蒸気圧に近い空気を近づけないようになっている。尚、本実施例の場合、除菌剤は過酸化水素を用いるようにしてある。
【００３１】
前記噴霧ユニット２には、コンプレッサ４が空気配管５を介して接続され、該空気配管５途中には、電磁式の遮断弁６が設けられ、該遮断弁６の開閉動作により、コンプレッサ４から空気配管５を介して圧縮空気の供給・停止が行われ、水を含む除菌剤としての過酸化水素が噴霧ユニット２からミスト噴霧されてＯＮ−ＯＦＦ制御されるようになっている。
【００３２】
前記室内１には、温度θ［℃］を計測する温度計７と、相対湿度φ［％ＲＨ］(RH：Relative Humidity)を計測する湿度計８と、過酸化水素濃度Ｃ［ｐｐｍ］を計測する濃度計９とが配置されている。
【００３３】
又、前記室内１には、ミスト噴霧された過酸化水素を無害化する除害装置１０が配置されている。該除害装置１０としては、例えば、活性炭が内蔵され且つ室内１の空気を吸い込んで排出することにより過酸化水素を活性炭に吸着させる形式のものが利用できる。但し、このような形式のものに限らず、外部の空気から細菌等を物理的に除去するＨＥＰＡフィルタを通過させて室内１に導入しつつ、室内１の空気を外部へ排出する換気装置を前記除害装置１０として用いるようにしても良い。
【００３４】
前記温度計７と湿度計８と濃度計９は、各々計測信号を送ることができる計測信号配線を介して動力制御盤１１に接続されている。該動力制御盤１１は、図２に示す如く、実際の温度θを表示する表示部１２Ｄが設けられた温度指示調節部１２と、実際の相対湿度φを表示する表示部１３Ｄが設けられた湿度指示調節部１３と、実際の過酸化水素濃度Ｃを表示する表示部１４Ｄが設けられた濃度指示調節部１４とを備えている。
【００３５】
上記計測信号配線について述べると、例えば、アナログ方式として弱い直流電流に信号を載せる場合、前記温度指示調節部１２には、温度θを４〜２０ｍＡの電流に割り付けて温度計測値として温度計７から入力するようになっている。前記湿度指示調節部１３には、相対湿度φを４〜２０ｍＡの電流に割り付けて湿度計測値として湿度計８から入力するようになっている。前記濃度指示調節部１４には、過酸化水素濃度Ｃを４〜２０ｍＡの濃度計測値として濃度計９から入力するようになっている。
【００３６】
前記温度指示調節部１２、前記湿度指示調節部１３、及び前記湿度指示調節部１４からの出力について以下に述べる。前記温度指示調節部１２には、入力された温度θを４〜２０ｍＡの電流に割り付けて温度計測値として結露演算器１５の飽和蒸気圧線近似演算部１６へ入力するようになっている。前記湿度指示調節部１３は、入力された相対湿度φを４〜２０ｍＡの電流に割り付けて湿度計測値として結露演算器１５の結露判定演算部１７へ入力するようになっている。前記濃度指示調節部１４は、入力された過酸化水素濃度Ｃの４〜２０ｍＡの電流に割り付けて送られた濃度計測値と、予め設定されている過酸化水素濃度上限設定値ＣＨ１との偏差を演算して、該偏差が正の場合、開閉指令をＯＮ−ＯＦＦの接点信号として出力すると共に、入力された過酸化水素濃度Ｃを４〜２０ｍＡの電流に割り付けて濃度計測値として結露演算器１５の飽和相対湿度演算部１８へ入力するようになっている。勿論、信号を載せる信号は、例えば、アナログでは１〜５Ｖの電圧信号でも、デジタルとしてのパルス信号であっても良い。又、前記温度指示調節部１２、前記湿度指示調節部１３については、温度計測値や湿度計測値の表示があれば良いので、例えば、温度計７や湿度計８の本体とプローブがケーブルを介して分離されているような型の場合、本体に表示部があるなら、それで代用しても良い。
【００３７】
前記飽和蒸気圧線近似演算部１６は、相対湿度φと過酸化水素濃度Ｃとの関係を示す空気中の過酸化水素と水の二成分系の過酸化水素の飽和蒸気圧線に対し、所定の過酸化水素濃度Ｃｓ［ｐｐｍ］（本実施例ではＣｓ＝２００［ｐｐｍ］としている。）での接線である直線を一次近似式として定義し、該一次近似式の傾きを示すパラメータａθと温度θとの関係式、及び、前記一次近似式の切片を示すパラメータｂθと温度θとの関係式に、前記温度計７で計測された温度θを代入してパラメータ演算できるように演算式を記憶しており、前記温度計７で計測された温度θに基づきパラメータａθとパラメータｂθとを求め、過酸化水素と水の二成分系の空気中における飽和蒸気圧を示す線図を一次近似式
［数１］
φＳ＝ａθＣ＋ｂθ
として求めるようになっている。ここで、図４は過酸化水素と水の二成分系の空気中における飽和蒸気圧を示す線図であり、その理論式は、図４中、実線で示す如く、温度θ毎に右下がりで下側へ凸形状となる緩やかな曲線となるが、この理論式をその都度リアルタイムで求めることは、その演算が非常に複雑化することが避けられない。
【００３８】
因みに、二成分系の飽和蒸気圧に関する理論式は、以下のように表される。
［数２］
ＰＷ＝γＷχＷＰＷｏ
［数３］
ＰＨ＝γＨχＨＰＨｏ
［数４］
γＷ＝ｅｘｐ{（１−χＷ）２／ＲＴ×［Ｂ０−Ｂ１（１−４χＷ）＋Ｂ２（１−２χＷ）（１−６χＷ）］}
［数５］
γＨ＝ｅｘｐ{χＷ２／ＲＴ×［Ｂ０＋Ｂ１（３−４χＷ）＋Ｂ２（１−２χＷ）（５−６χＷ）］}
［数６］
χＷ＋χＨ＝１
［数７］
ＰＷｏ＝ｅｘｐ（ＡＷ−ＢＷ／（ＣＷ＋θ））
［数８］
ＰＨｏ＝ｅｘｐ（ＡＨ−ＢＨ／（ＣＨ＋θ））
但し、ＰＷ：水と過酸化水素の二成分下における水の飽和蒸気圧［Ｔｏｒｒ］
ＰＨ：水と過酸化水素の二成分下における過酸化水素の飽和蒸気圧［Ｔｏｒｒ］
γＷ：活量係数
γＨ：活量係数
χＷ：過酸化水素中の水の液相モル分率
χＨ：過酸化水素中の過酸化水素の液相モル分率
ＰＷｏ：水成分のみが存在するときの水の飽和蒸気圧［Ｔｏｒｒ］
ＰＨｏ：過酸化水素成分のみが存在するときの過酸化水素の飽和蒸気圧［Ｔｏｒｒ］
Ｒ：気体定数
Ｔ：絶対温度［Ｋ］
Ｂ０，Ｂ１，Ｂ２：定数
ＡＷ，ＢＷ，ＣＷ：定数
ＡＨ，ＢＨ，ＣＨ：定数
【００３９】
そこで、本実施例では、過酸化水素濃度Ｃ、つまり所定の過酸化水素濃度Ｃｓを２００ｐｐｍとして、そのポイントで前記理論式の曲線に接する接線（図４における破線参照）を前記一次近似式としている。前記パラメータａθは、［数１］の一次近似式で示される直線の傾きを表すものであり、図５に示すような温度θに基づき求められる数値として、前記飽和蒸気圧線近似演算部１６に予め記憶されている。前記パラメータｂθは、［数１］の一次近似式で示される直線の過酸化水素濃度Ｃが０の場合の相対湿度φを表すものであり、図６に示すような温度θに基づき求められる数値として、前記飽和蒸気圧線近似演算部１６に予め記憶されている。
【００４０】
前記飽和蒸気圧線近似演算部１６からは、［数１］の関係式情報を前記飽和相対湿度演算部１８に出力し、計測された過酸化水素濃度Ｃにより、結露が生じる相対湿度φＳを求めることができるように［数１］の関係式情報をやり取りする。
【００４１】
前記飽和相対湿度演算部１８は、前記飽和蒸気圧線近似演算部１６で求められた一次近似式と、前記濃度計９で計測された過酸化水素濃度Ｃとに基づき、結露が生じる相対湿度φＳ即ち飽和相対湿度を湿度設定値として求めるようになっている。前記飽和相対湿度演算部１８からは、求められた湿度設定値である相対湿度φＳについて、そのまま相対湿度φＳとして出力しても良いが、求められた相対湿度値から、例えば、３［％］、５［％］や１０［％］等、定数を減じた相対湿度値を、制御相対湿度φＳとして、例えば、アナログの４〜２０ｍＡの電流に割り付けて、設定信号として前記結露判定演算部１７へ出力しても良い。
【００４２】
前記結露判定演算部１７は、入力された湿度設定値である制御相対湿度φＳを設定値として逐次変更しながら、前記湿度計８で計測された相対湿度φと湿度設定値である制御相対湿度φＳとの偏差を演算し、前記湿度計８で計測された相対湿度φが前記飽和相対湿度演算部１８で求められた制御相対湿度φＳ以上である場合には除染を停止するようセレクタ１９を介して前記遮断弁６へ強制的に閉指令を、例えば接点信号として出力し、且つ前記除害装置１０へ起動指令を出力し、更に結露警報器２０へ警報指令を出力するようになっている。
【００４３】
前記湿度計８で計測された相対湿度φが制御相対湿度φＳより低く、前記結露判定演算部１７から閉指令が出力されず、除染が行われる場合、前記過酸化水素濃度Ｃが過酸化水素濃度下限設定値ＣＬ０より低い時には、前記濃度指示調節部１４から前記遮断弁６へ前記セレクタ１９を介し開指令を出力してミスト噴霧を行い、前記過酸化水素濃度Ｃが過酸化水素濃度上限設定値ＣＨ１以上となる時には、前記濃度指示調節部１４から前記遮断弁６へ前記セレクタ１９を介し閉指令を出力してミスト噴霧を停止するようになっている。
【００４４】
本実施例の場合、前記過酸化水素濃度下限設定値ＣＬ０は、２１０ｐｐｍとし、前記過酸化水素濃度上限設定値ＣＨ１は、２３０ｐｐｍとしてある。これは、過酸化水素は、噴霧されて気化した後、空気中で分解して酸素と水に分解する（半減期は数十分と言われている）ので、常に気中濃度を２００ｐｐｍに保つために、このような上下限濃度にて噴霧管理するのである。気中濃度を、仮に例えば３００ｐｐｍに設定した際にも、下限値を＋１０ｐｐｍ程度、上限値を＋３０〜＋５０ｐｐｍ程度にかさ上げして管理することができる。
【００４５】
一方、図３は本発明の除染方法及び装置の実施例を示すフローチャートであり、先ず、ステップＳ１として前記遮断弁６は閉じた状態に保持されている。続くステップＳ２として、前記室内１の温度θと、相対湿度φと、過酸化水素濃度Ｃとを計測する計測工程が行われる。ステップＳ３として、相対湿度φと過酸化水素濃度Ｃとの関係を示す空気中の過酸化水素と水の二成分系の過酸化水素の飽和蒸気圧線に対し、所定の過酸化水素濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記計測工程で計測された温度θを代入してパラメータａθとパラメータｂθとを求め、過酸化水素と水の二成分系の空気中における飽和蒸気圧を示す線図を一次近似式（［数１］参照）より求める飽和蒸気圧線近似演算工程が行われる。尚、前記一次近似式の傾きを示すパラメータａθと温度θとの関係式、及び、前記一次近似式の切片を示すパラメータｂθと温度θとの関係式に、前記計測工程で計測された温度θを代入可能としている工程をパラメータ演算工程と定義する。ステップＳ４として、前記飽和蒸気圧線近似演算工程で求められた一次近似式に基づき前記過酸化水素濃度Ｃから結露が生じる制御相対湿度φＳを求め、前記相対湿度φが制御相対湿度φＳ以上であると判定された場合にはステップＳ５として除染を停止する結露判定工程が行われる。該結露判定工程で前記相対湿度φが制御相対湿度φＳより低いと判定された場合、続くステップＳ６として、除染開始からの時間ｔ［ｍｉｎ］が設定時間ｔｓｅｔ（例えば、２４０［ｍｉｎ］＝４［ｈｒ］）以上経過したと判定された時点で、ステップＳ７として除染完了とする。前記除染開始からの時間ｔ［ｍｉｎ］が設定時間ｔｓｅｔに満たない場合、ステップＳ８として、過酸化水素濃度Ｃが過酸化水素濃度下限設定値ＣＬ０より低いと判定された時には、ステップＳ９として、遮断弁６が開かれてミスト噴霧が行われる。続くステップＳ１０として、前記過酸化水素濃度Ｃが過酸化水素濃度上限設定値ＣＨ１以上であると判定された時には、ステップＳ１１として、前記遮断弁６が閉じミスト噴霧が停止され、前記ステップＳ２へ戻り、前述と同様の操作が繰り返される。尚、前記ステップＳ８において、過酸化水素濃度Ｃが過酸化水素濃度下限設定値ＣＬ０以上であると判定された時には、前記ステップＳ１０の判定に進み、該ステップＳ１０において、前記過酸化水素濃度Ｃが過酸化水素濃度上限設定値ＣＨ１より低いと判定された時には、前記遮断弁６を閉じることなくステップＳ２へ戻る。因みに、前記ステップＳ８〜ステップＳ１１の操作がミスト噴霧発停工程となる。
【００４６】
次に、上記実施例の作用を説明する。
【００４７】
図３のフローチャートに示す如く、先ず、ステップＳ１として遮断弁６は閉じた状態に保持されている。
【００４８】
続くステップＳ２として、前記室内１の温度θと相対湿度φと過酸化水素濃度Ｃとが、温度計７と湿度計８と濃度計９とによって計測される（計測工程）。計測された前記室内１の温度θと相対湿度φと過酸化水素濃度Ｃは、図１及び図２に示す動力制御盤１１の温度指示調節部１２の表示部１２Ｄと湿度指示調節部１３の表示部１３Ｄと濃度指示調節部１４の表示部１４Ｄにそれぞれ表示される。
【００４９】
ステップＳ３として、前記計測工程で計測された温度θに基づきパラメータａθとパラメータｂθとが図５及び図６に示す線図から求められ、過酸化水素と水の二成分系の空気中における飽和蒸気圧を示す線図が一次近似式（［数１］参照）より求められる（飽和蒸気圧線近似演算工程）。該飽和蒸気圧線近似演算工程は、図２に示す飽和蒸気圧線近似演算部１６で行われる。尚、前記一次近似式の傾きを示すパラメータａθと温度θとの関係式、及び、前記一次近似式の切片を示すパラメータｂθと温度θとの関係式に、前記計測工程で計測された温度θを代入可能としている工程がパラメータ演算工程となる。
【００５０】
ステップＳ４として、前記飽和蒸気圧線近似演算工程で求められた一次近似式に基づき前記過酸化水素濃度Ｃから結露が生じる相対湿度φＳが求められ、それに基づいて制御相対湿度φＳを求めて、前記相対湿度φが制御相対湿度φＳ以上であるか否かの判定が行われる（結露判定工程）。ここで、例えば、温度θ＝２０［℃］で、過酸化水素濃度Ｃ＝２００［ｐｐｍ］である場合、結露が生じる相対湿度φＳは、図４に示す線図より、およそ７９［％］となる。ここで、例えば、前記制御相対湿度φＳをそのまま７９［％］としても良いが、例えば定数の５［％］を減じる演算を行って、７４［％］として制御相対湿度φＳを求めるようにしても良い。前記結露判定工程は、前記飽和蒸気圧線近似演算部１６で求められた一次近似式と、前記濃度計９で計測された過酸化水素濃度Ｃとに基づき、図２に示す飽和相対湿度演算部１８において、結露が生じる制御相対湿度φＳ即ち飽和相対湿度が湿度設定値として求められ、図２に示す結露判定演算部１７において、前記湿度計８で計測された相対湿度φが前記飽和相対湿度演算部１８で求められた制御相対湿度φＳ以上であるか否かを判定することによって行われる。
【００５１】
前記結露判定工程で前記相対湿度φが制御相対湿度φＳより低いと判定された場合、続くステップＳ６として、除染開始からの時間ｔ［ｍｉｎ］が設定時間ｔｓｅｔ（例えば、２４０［ｍｉｎ］＝４［ｈｒ］）以上経過したか否かの判定が行われる。
【００５２】
前記除染開始からの時間ｔ［ｍｉｎ］が設定時間ｔｓｅｔに満たない場合、ステップＳ８として、過酸化水素濃度Ｃが過酸化水素濃度下限設定値ＣＬ０より低いと判定された時には、ステップＳ９として、遮断弁６が開かれてミスト噴霧が行われる（ミスト噴霧発停工程）。該ミスト噴霧発停工程は、図２に示す濃度指示調節部１４から前記遮断弁６へ前記セレクタ１９を介して出力される開指令によって行われる。
【００５３】
続くステップＳ１０として、前記過酸化水素濃度Ｃが過酸化水素濃度上限設定値ＣＨ１以上であると判定された時には、ステップＳ１１として、前記遮断弁６が閉じミスト噴霧が停止される（ミスト噴霧発停工程）。該ミスト噴霧発停工程は、図２に示す濃度指示調節部１４から前記遮断弁６へ前記セレクタ１９を介して出力される閉指令によって行われる。
【００５４】
この後、前記ステップＳ２へ戻り、前述と同様の操作が繰り返される。
【００５５】
尚、前記ステップＳ８において、過酸化水素濃度Ｃが過酸化水素濃度下限設定値ＣＬ０以上であると判定された時には、前記ステップＳ１０の判定に進み、該ステップＳ１０において、前記過酸化水素濃度Ｃが過酸化水素濃度上限設定値ＣＨ１より低いと判定された時には、前記遮断弁６を閉じることなくステップＳ２へ戻る。
【００５６】
そして、前記噴霧ユニット２から水を含む過酸化水素のミストが噴霧されると、図１に示す撹拌ファン３の作用により、空気中で過酸化水素のミストが短時間に蒸発して室内１の隅々まで均一に行き渡り、ドライ方式での除染が可能となる。
【００５７】
図３に示す前記ステップＳ４の結露判定工程において、前記相対湿度φが制御相対湿度φＳ以上であると判定された場合にはステップＳ５として除染が停止される。この除染停止操作は、図２に示す前記結露判定演算部１７からセレクタ１９を介して前記遮断弁６へ強制的に閉指令が出力されて該遮断弁６が閉じることによって行われる。同時に、前記除害装置１０へ起動指令が出力されて該除害装置１０に室内１の空気が吸い込まれ、活性炭にミスト噴射された過酸化水素が吸着されて無害化されつつ、前記除害装置１０から空気が排出され、更に結露警報器２０へ警報指令が出力される。この結果、過酸化水素の結露により室内１の内装や機器に腐食を生じさせてしまうことが確実に回避される。
【００５８】
ステップＳ６において、除染開始からの時間ｔ［ｍｉｎ］が設定時間ｔｓｅｔ（例えば、２４０［ｍｉｎ］＝４［ｈｒ］）以上経過したと判定されると、この時点で、ステップＳ７として除染完了となり、前記遮断弁６が閉じられる。
【００５９】
本実施例においては、［数２］〜［数８］に示されるような理論式をその都度リアルタイムで演算するのではなく、図４における破線で示される一次近似式を用いているため、その演算が複雑化せず、特許文献１に開示されているドライ方式の除染方法と比較して、凝縮判定がきわめて容易に行える。尚、図４における破線で示される一次近似式は、過酸化水素濃度Ｃが２００ｐｐｍとなるポイントで前記理論式の曲線に接する接線としてあるため、当然のことながら、過酸化水素濃度Ｃが２００ｐｐｍから増加側或いは減少側へ変動するほど、結露が生じる相対湿度φＳの誤差が大きくなるが、前記過酸化水素濃度下限設定値ＣＬ０は、２１０ｐｐｍとし、前記過酸化水素濃度上限設定値ＣＨ１は、２３０ｐｐｍとして、その範囲内に収まるように過酸化水素濃度Ｃを制御しているため、前記相対湿度φＳの誤差は許容範囲となり、問題とはならない。又、過酸化水素と水の二成分系の空気中における飽和蒸気圧を示す理論式は、図４中、実線で示す如く、温度θ毎に右下がりで下側へ凸形状となる緩やかな曲線であるが、図４における破線で示される一次近似式を用いているので、計測された過酸化水素濃度Ｃが２００ｐｐｍから増加側或いは減少側へ変動するほど、求まる相対湿度φＳは実際に結露する相対湿度値より小さい値となり、安全側の値を示す。
【００６０】
ここで、第二の実施例として、計測された前記過酸化水素濃度Ｃに基づいて、前記所定の過酸化水素濃度Ｃｓに代入する値を選定した後、前記一次近似式の傾きを示すパラメータａθと温度θとの関係式、及び、前記一次近似式の切片を示すパラメータｂθと温度θとの関係式を演算設定する接線設定演算工程を更に有する除染方法や、この演算部を有する除染装置が考えられる。
【００６１】
前記第二の実施例としての除染方法や除染装置では、例えば、短時間で除染を行う必要が生じたり、或いは除染が長時間になっても低濃度で除染して早く除害を行ったりしたい等、室の運用上で除染に対する要求が異なる場合に、過酸化水素濃度変更を行っても、正確に且つ過酸化水素の所定濃度噴霧を邪魔しないで、結露防止ができる利点がある。
【００６２】
この場合、図２における飽和蒸気圧線近似演算部１６に対し、温度計７から温度指示調節部１２を介して計測信号が入力される他に、濃度計９から濃度指示調節部１４を介し飽和相対湿度演算部１８へ出力される計測信号が並行に入力されるようになっていれば良い。前記飽和蒸気圧線近似演算部１６は、先ず、計測された過酸化水素濃度Ｃの値をもとに、図７及び図８のように、所定の過酸化水素濃度Ｃｓを、例えば２００ｐｐｍ、２５０ｐｐｍ、３００ｐｐｍとして、それぞれのポイントで理論式の曲線に接する接線（図４における破線参照）を前記一次近似式としている。よって接点が異なれば接線の傾きや切片が異なることとなり、前記パラメータａθは、［数１］の一次近似式で示される直線の傾きを表すものであり、図７に示すような温度θに基づき求められる数値として、前記飽和蒸気圧線近似演算部１６に予めそれぞれ記憶され、前記パラメータｂθは、［数１］の一次近似式で示される直線の過酸化水素濃度Ｃが０ｐｐｍの場合の相対湿度φを表すものであり、図６に示すような温度θに基づき求められる数値として、前記飽和蒸気圧線近似演算部１６に予めそれぞれ記憶されているが、これらの情報から計測された過酸化水素濃度Ｃに基づき、最も近い所定の過酸化水素濃度Ｃｓの一次近似式のパラメータ式を選んで適用させる接線設定演算を行う。
【００６３】
その後、前記飽和蒸気圧線近似演算部１６は、相対湿度φと過酸化水素濃度Ｃとの関係を示す空気中の過酸化水素と水の二成分系の過酸化水素の飽和蒸気圧線に対し、所定の過酸化水素濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記温度計７で計測された温度θを代入してパラメータ演算できるように演算式を記憶しており、前記温度計７で計測された温度θに基づきパラメータａθとパラメータｂθとを求め、過酸化水素と水の二成分系の空気中における飽和蒸気圧を示す線図を一次近似式
［数１］
φＳ＝ａθＣ＋ｂθ
として求めるようになっている。その後は、前記第一の実施例と同じである。
【００６４】
一方、第三の実施例としては、結露演算器１５（飽和蒸気圧線近似演算部１６、飽和相対湿度演算部１８、結露判定演算部１７）のデジタル化による構成、つまり比較演算が容易になる演算部を想定して、飽和蒸気圧線近似演算部１６の演算簡略を図るため、以下のような構成とする。
【００６５】
前記飽和蒸気圧線近似演算部１６は、相対湿度φと過酸化水素濃度Ｃとの関係を示す空気中の過酸化水素と水の二成分系の過酸化水素の飽和蒸気圧線に対し、所定の過酸化水素濃度Ｃｓでの接線である直線を一次近似式として定義し、該一次近似式の傾きを示すパラメータａθと温度θとの関係式、及び、前記一次近似式の切片を示すパラメータｂθと温度θとの関係式に、前記温度計７で計測された温度θを代入してパラメータ演算できるように演算式を記憶しており、想定される温度θを５〜１０個代入してパラメータａθとパラメータｂθとを求めて、過酸化水素と水の二成分系の空気中での温度θにおける飽和蒸気圧を示す線図を一次近似式
［数１］
φＳ＝ａθＣ＋ｂθ
として予め複数求めておく飽和蒸気圧線近似演算工程を備えていて、
前記温度計７で計測された温度θに基づき、過酸化水素と水の二成分系の空気中における飽和蒸気圧を示す線図を一次近似式
［数１］
φＳ＝ａθＣ＋ｂθ
から選択して求めて、これで求められた一次近似式に基づき、計測される前記過酸化水素濃度Ｃから過酸化水素の結露を制御するための制御相対湿度φＳを求める飽和相対湿度演算部１８と、該飽和相対湿度演算部１８から出力された制御相対湿度φＳを設定値として、前記湿度計８で計測された相対湿度φが制御相対湿度φＳより低い場合には除染を行うよう前記遮断弁６へ開指令を出力し、前記相対湿度φが制御相対湿度φＳ以上である場合には除染を停止するよう前記遮断弁６へ閉指令を出力する結露判定演算部１７とを備えるものである。
【００６６】
これにより、ほぼ図４の図で示される式を選択できるので、操作者のイメージが持ちやすく、管理がしやすいものである。
【００６７】
又、図４の理論式の曲線に接する接点である所定の過酸化水素濃度Ｃｓについては、除染として現実的な過酸化水素の除染時維持濃度である１５０〜４００ｐｐｍで設定すれば、設定範囲として現実的であり、且つ正確に管理ができる。
【００６８】
又、医薬品製造施設や動物実験施設のバイオクリーンルーム等の、細菌等の微生物、生物の免疫に働きかける物質や、生物の細胞等を扱う室内１では、夜間空調停止等があったとしても、翌日の朝に上昇する可能性のある室温で、且つ微生物等の活性がある程度ある温度の１５〜３０℃を除染時の室温として扱えば充分実現性があり、又、室内環境としても除染後、作業者が利用するのに適している。
【００６９】
又、従来の除染方法とは異なり、過酸化水素蒸気の発生に不可欠であった非常に高価で且つ取り扱いが難しい気化蒸発式装置が不要となり、専門のオペレータがいなくても除染を行うことが可能となる。
【００７０】
こうして、凝縮判定を簡単に行うことができ、且つ気化蒸発式装置を用いることなく室内１をドライ方式で確実に除染し得、専門のオペレータも不要とし得る。
【００７１】
尚、本発明の除染方法及び装置は、上述の実施例にのみ限定されるものではなく、本発明の要旨を逸脱しない範囲内において種々変更を加え得ることは勿論である。
【符号の説明】
【００７２】
１      室内
２      噴霧ユニット
３      撹拌ファン
３ａ    吹出口
４      コンプレッサ
５      空気配管
６      遮断弁
７      温度計
８      湿度計
９      濃度計
１０      除害装置
１１      動力制御盤
１５      結露演算器
１６      飽和蒸気圧線近似演算部
１７      結露判定演算部
１８      飽和相対湿度演算部
ａθ     パラメータ
ｂθ     パラメータ
Ｃ      過酸化水素濃度（除菌剤濃度）
Ｃｓ    所定の過酸化水素濃度（所定の除菌剤濃度）
ＣＨ１    過酸化水素濃度上限設定値（除菌剤濃度上限設定値）
ＣＬ０    過酸化水素濃度下限設定値（除菌剤濃度下限設定値）
ｔ      時間
ｔｓｅｔ   設定時間
θ      温度
φ      相対湿度
φＳ     相対湿度又は制御相対湿度
【図１】
2015211772.tif 000003
【図２】
2015211772.tif 000004
【図３】
2015211772.tif 000005
【図４】
2015211772.tif 000006
【図５】
2015211772.tif 000007
【図６】
2015211772.tif 000008
【図７】
2015211772.tif 000009
【図８】
2015211772.tif 000010